(57)【特許請求の範囲】
【請求項１】
収容部を有する容器本体と、前記容器本体の首部に嵌合される蓋体とを備える容器であって、
前記首部は、上端部が前記収容部の開口となる円形状の筒状部と周縁形状が非円形状の肩部とを平坦部を介して連設し、前記平坦部上に前記筒状部の外周面から外径方向に突出する複数のカム片を設置し、
前記肩部は、前記筒状部の中心から周縁までの距離が短い箇所から長い箇所にかけて漸進的に勾配角が小さくなる第１領域と、前記第１領域の終端部から外径方向に段部を介して隆起し、前記短い箇所に対向する箇所へと向かう第２領域とを備え、
前記蓋体は、前記開口を閉塞する天面部と、前記カム片に対応する案内部を有して前記天面部から垂下される円形状の内筒部と、前記内筒部の外径方向に位置する非円形状の外筒部とを備えてなり、
前記首部の外周と前記蓋体の内周に互いの嵌合手段を備え、前記容器本体と前記蓋体との相対回転により、前記案内部が前記カム片の傾斜片に摺動することで前記蓋体が押し上げられて前記嵌合手段の嵌合を解除するとともに、前記外筒部の下端部が前記第１領域に摺動することがない状態で前記段部を介して前記第２領域に摺動して乗り上がることを特徴とする容器。
【請求項２】
前記肩部の前記第２領域に第１下方嵌合部を有し、前記蓋体の前記外筒部に前記第１下方嵌合部に対応する第２下方嵌合部を有する請求項１に記載の容器。
【請求項３】
前記筒状部における隣接する前記カム片の間隙の外周面に第１上方嵌合部を有し、前記蓋体の前記内筒部に前記第１上方嵌合部に対応する第２上方嵌合部を有する請求項１又は請求項２に記載の容器。
【請求項４】
前記蓋体が９０度回転した状態において、前記外筒部の中心から周縁までの距離が短い箇所が前記第１領域の終端部近傍の前記平坦部に載置される請求項１から請求項３のいずれか１項に記載の容器。
【発明の詳細な説明】
【技術分野】
【０００１】
本発明は、食品、化粧品等を収容する容器に係るものであって、特に簡易開閉式の容器に関するものである。
【背景技術】
【０００２】
従来より、容器本体と容器本体の首部に嵌合される蓋体とからなる容器であって、容器本体の首部に押圧によって蓋体を嵌合させる打ち込み式タイプの容器が公知である。例えば、嵌合状態にある蓋体を回転させることで、当該嵌合状態が解除され、首部は四辺形の各角部を切除して形成されるコーナー面とコーナー面間に存する側壁面とからなる角筒部を備え、側壁面に容器本体側の溝等が設けられており、コーナー面の基端部に段部が設けられ、蓋体を回転させることにより生じる蓋体の開口下端部が段部に乗り上がる際の力を利用して、蓋体と容器本体との脱離が補助される容器が公知である（特許文献１参照）。これにより、蓋体の嵌合状態が強固であって横向きに落下した場合であっても、蓋体が外れ難い構造としたものである。
【先行技術文献】
【特許文献】
【０００３】
【特許文献１】特許第３０７３９３９号
【発明の概要】
【発明が解決しようとする課題】
【０００４】
しかしながら、上記構造では、角筒部のコーナー面に嵌合に関する溝等が形成されていないので、嵌合状態の解除においては、蓋体を回転させて開蓋するほか、蓋体の対角線上にある角部を両側から押圧し、蓋体を変形させることによっても開蓋させることができるものであるため、嵌合状態にて角部から落下した場合には、その衝撃により蓋体が変形することで蓋体が外れてしまう虞がある。一方で、容器本体と蓋体との嵌合状態を強固にすると、落下等した場合であっても蓋体が外れ難いものとなるが、蓋体の着脱操作が困難となる虞がある。
【０００５】
そこで、本発明はこのような問題点を解決するものであって、食品、化粧品等を収容する容器に係るものであって、容器本体と蓋体との嵌合状態が強固であり、いかなる方向から落下等した場合であっても蓋体が外れ難く、蓋体の着脱操作が容易な簡易開閉式の容器を提供することを課題とする。
【課題を解決するための手段】
【０００６】
前記問題点を解決するために、本発明の請求項１に記載の発明の容器は、収容部を有する容器本体と、前記容器本体の首部に嵌合される蓋体とを備える容器であって、前記首部は、上端部が前記収容部の開口となる円形状の筒状部と周縁形状が非円形状の肩部とを平坦部を介して連設し、前記平坦部上に前記筒状部の外周面から外径方向に突出する複数のカム片を設置し、前記肩部は、前記筒状部の中心から周縁までの距離が短い箇所から長い箇所にかけて漸進的に勾配角度が小さくなる第１領域と、前記第１領域の終端部から外径方向に段部を介して隆起し、前記短い箇所に対向する箇所へと向かう第２領域とを備え、前記蓋体は、前記開口を閉塞する天面部と、前記カム片に対応する案内部を有して前記天面部から垂下される円形状の内筒部と、前記内筒部の外径方向に位置する非円形状の外筒部とを備えてなり、前記首部の外周と前記蓋体の内周に互いの嵌合手段を備え、前記容器本体と前記蓋体との相対回転により、前記案内部が前記カム片の傾斜片に摺動することで前記蓋体が押し上げられて前記嵌合手段の嵌合を解除するとともに、前記外筒部の下端部が前記段部を介して前記第２領域に乗り上がることを特徴とするものである。
【０００７】
また、本発明の請求項２に記載の発明の容器は、請求項１に記載の容器において、前記肩部の前記第２領域に第１下方嵌合部を有し、前記蓋体の前記外筒部に前記第１下方嵌合部に対応する第２下方嵌合部を有するものである。
【０００８】
また、本発明の請求項３に記載の発明の容器は、請求項１又は請求項２に記載の容器において、前記筒状部における隣接する前記カム片の間隙の外周面に第１上方嵌合部を有し、前記蓋体の前記内筒部に前記第１上方嵌合部に対応する第２上方嵌合部を有するものである。
【００１０】
また、本発明の請求項４に記載の発明の容器は、請求項１から請求項３のいずれか１項に記載の容器において、前記蓋体が９０度回転した状態において、前記外筒部の中心から周縁までの距離が短い箇所が前記第１領域の終端部近傍の前記平坦部に載置されるものである。
【発明の効果】
【００１１】
本発明の容器では、嵌合手段となる上方嵌合部が筒状部と内筒部に設けられ、下方嵌合部が肩部の第２領域と対応する外筒部に設けられることで上下の二箇所で嵌合するとともに、第２領域に第１下方嵌合部を設けることから、容器本体と蓋体との嵌合状態が強固であり、斜め方向に落下した場合を含む、いかなる方向から落下等した場合であっても蓋体が外れ難いものとなる。
【００１２】
また、蓋体を容器本体に対して上方から押圧することでワンタッチで閉蓋することができ、容器本体と蓋体との相対回転により、容器本体のカム片と蓋体の案内部の上方への作用力と、両者の回転軌跡の相違及び外筒部の下端部の第２領域への乗り上げを利用して、嵌合状態を解除して容易に開蓋することができる。これにより、蓋体の着脱操作が容易な簡易開閉式の容器とすることができる。
【図面の簡単な説明】
【００１３】
【図１】本発明の実施例における容器の斜視図である。
【図２】本発明の実施例における容器の図１のＡ−Ａ断面図である。
【図３】本発明の実施例における容器の図１のＢ−Ｂ断面図である。
【図４】本発明の実施例における容器の開蓋状態の部分断面正面図である。
【図５】本発明の実施例における容器の開蓋状態の部分断面側面図である。
【図６】本発明の実施例における容器本体の斜視図である。
【図７】本発明の実施例における容器の閉蓋状態の一部破断正面図である。
【図８】本発明の実施例における容器の閉蓋状態の一部破断側面図である。
【図９】本発明の実施例における容器の開蓋途中の説明図である。
【図１０】本発明の実施例における容器の閉蓋状態の一部破断平面図である。
【図１１】本発明の実施例における容器の閉蓋途中の一部破断平面図である。
【図１２】本発明の実施例における容器の蓋体を９０度回転させた正面図である。
【図１３】本発明の別実施例における容器本体の斜視図である。
【発明を実施するための形態】
【００１４】
以下、本発明の実施の形態における容器を図面に基づいて説明する。当該容器は、収容部を有する容器本体と、容器本体の首部に嵌合される蓋体とを備えるものであって、蓋体を容器本体に対してワンタッチで取り付けることができ、嵌合状態から９０度以内の回転操作によって、蓋体を開蓋することができるものである。当該容器において、蓋体が位置する方向を上方とし、容器本体が位置する方向を下方とする。
【実施例】
【００１５】
本発明に係る容器は、図１から図３に示すように、収容部４を有する容器本体１と、容器本体１の首部５に嵌合される蓋体２から構成される。また、容器本体１の収容部４には、本体容器１に対して着脱可能となるリフィル容器３を装着することもできる。本実施例では、リフィル容器３を装着した容器について説明するが、図１３に示すように、リフィル容器３を備えないものとすることができるのは勿論である。
【００１６】
当該容器本体１、蓋体２及びリフィル容器３は、例えば、ポリプロピレン等の合成樹脂等で成形される。容器本体１のリフィル容器３には、例えばクリームやゲル、ペースト状、液体等の化粧品、食品等が収容される。
【００１７】
容器本体１は、略中央部に上方が開口する有底円筒状の収容部４が設けられ、当該収容部４の外径方向には上端部が収容部４の開口となる首部５が設けられる。また、当該首部５の下端部には、下方に向けて側壁６が延設される。このとき、収容部４の底部は、側壁６の下端部から下方へ突出することがないよう形成される。
【００１８】
首部５は、図４から図６に示すように、上端部が収容部４の開口となる円形状の筒状部７と、周縁形状が非円形状の肩部８と、筒状部７と肩部８とを連設する平坦部９とから構成される。具体的には、筒状部７の下端部から外径方向に向けて非円形状の平坦部９が形成され、当該平坦部９から外径方向の下方へ向けて適宜の勾配角度を有して肩部８が形成される。また、肩部８の下端部から外径方向に向けて非円形状の縁部１０が形成される。
【００１９】
このようにして、首部５は平坦部９を境界として、上方に位置する筒状部７と、下方に位置する肩部８とに区画することができる。また、平坦部９が非円形状に形成されるとともに、肩部８が同様にして非円形状に形成されることから、側壁６も非円形状に形成されることとなる。非円形状の肩部８、平坦部９及び側壁６は、例えば、楕円状、長円等に形成されるが、これに限られるものではない。
【００２０】
また、円形状の筒状部７に対して連設される平坦部９が非円形状に形成されるため、平坦部９においては、図１０に示すように、筒状部７の中心から平坦部９の周縁までの距離が短く形成される短軸方向Ｐと、周縁までの距離が長く形成される長軸方向Ｑとに方向付けされる。そして、平坦部９は、短軸方向Ｐの幅寸法が幅狭となり、長軸方向Ｑの幅寸法が幅広となるよう形成される。
【００２１】
また、図４から図６に示すように、平坦部９上には、筒状部７の外周面から外径方向に突出する複数のカム片１１が設置される。当該カム片１１は、後述する容器本体１と蓋体２との嵌合手段を解除させるために設けられる。カム片１１は、例えば、略三角形状に形成され、当該嵌合を解除させ得るために平坦部９上から上方へと傾斜する傾斜部１２と、平坦部９上に一致する底部１３と、略垂直状に形成される掛止部１４とから形成される。
【００２２】
このようにして形成されるカム片１１は、傾斜部１２の傾斜方向を蓋体２の回転方向に向けた状態で所定の間隔を有して、平坦部９上に配設される。また、複数のカム片１１の形状は、夫々を略同一形状とすることもできるし、蓋体２を装着する方向を位置決めするために、夫々の形状を異なる形状とすることもできる。
【００２３】
本実施例においては、短軸方向Ｐと長軸方向Ｑの夫々対向する位置にて計４箇所に設けられ、短軸方向Ｐ、長軸方向Ｑの夫々対向する相互のカム片１１が略同一形状となるよう形成している。
【００２４】
また、肩部８は、容器本体１と蓋体２との嵌合手段を解除させる際に、蓋体２との摺動を回避する第１領域１５と、当該解除させる際に、蓋体２と摺動するとともに嵌合手段が設けられる第２領域１６とを有してなる。第１領域１５と第２領域１６は、肩部８の周面上に連続して交互に形成される。
【００２５】
具体的には、図６及び図１０に示すように、第１領域１５は、筒状部７の中心から周縁までの距離が短い短軸方向Ｐ上であって、肩部８の上端部から下端部に至る勾配角度が大きい始端部と、筒状部７の中心から周縁までの距離が長い長軸方向Ｑ上であって、肩部８の上端部から下端部に至る勾配角度が小さい終端部とを有してなり、始端部から終端部にかけて漸進的に勾配角度が小さくなるよう形成される。
【００２６】
第２領域１６は、筒状部７の中心から周縁までの距離が長い長軸方向Ｑ上であって、第１領域１５の終端部から外径方向に段部１７を介して隆起させた始端部と、筒状部７の中心から周縁までの距離が短い短軸方向Ｐ上であって、第１領域１５の始端部と対向に位置する終端部とを有してなり、第１領域１５とは略対称に始端部から終端部にかけて漸進的に勾配角度が大きくなるよう形成される。
【００２７】
ここで、首部５において、勾配角度とは、肩部８の上端部と下端部とを結んでなる線と、筒状部７の中心から外径方向へ向かって延びる仮想水平線との角度を示すものであって、第１領域１５及び第２領域１６の外周面は必ずしも平坦である必要はなく、始端部から終端部にかけて連続する緩やかな曲面状であってもよいのは勿論である。
【００２８】
このようにして肩部８を構成することで、容器本体１と蓋体２との嵌合手段を解除させる際に、後述する蓋体２の外筒部２６の下端部を第１領域１５に摺動させることのない状態とし、段部１７を介して隆起する第２領域１６にのみ摺動させる状態とすることができる。
【００２９】
また、首部５には、蓋体２との嵌合手段が設けられる。当該嵌合手段は、筒状部７と蓋体２の内筒部２５に形成される上方嵌合部と、肩部８と蓋体２の外筒部２６に形成される下方嵌合部とから構成される。これら上方嵌合部、下方嵌合部は、容器本体１に対して蓋体２を上方から押圧することで夫々が嵌合可能となるものであって、例えば、溝状部、凹部、突条部、凸部等から適宜選択することができるし、これらを適宜組み合わせることもできる。筒状部７に形成される上方嵌合部は第１上方嵌合部１８とされ、肩部８に形成される下方嵌合部は第１下方嵌合部１９とされる。
【００３０】
本実施例においては、第１上方嵌合部１８は、筒状部７における隣接するカム片１１の間隙の外周面に沿うようにして設けられる水平状の突条部とされ、第１下方嵌合部１９は、肩部８における第２領域１６の外周面に沿うようにして設けられる水平状の突条部とされる。また、図１０に示すように、容器本体の平面視において、第１上方嵌合部１８が占有する角度αを５５度程度として等間隔に計４箇所形成し、第２上方嵌合部１９が占有する角度βを８５度程度として第２領域１６に対応する計２箇所に形成される。
【００３１】
また、収容部４の上端縁部、すなわち筒状部７の上端縁部には、リフィル容器３の押圧部２０を掛止させるための切欠部２１が適宜箇所に設けられるとともに、収容部４の内周面にはリフィル容器３の外周面と互いに嵌合する容器嵌合手段が設けられる。当該容器嵌合手段は、溝状部、凹部、突条部、凸部等から適宜選択することができるし、これらを適宜組み合わせることもできる。
【００３２】
本実施例においては、図２から図６に示すように、収容部４の切欠部２１は、筒状部７におけるカム片１１の上方周面の２箇所に夫々対向するようにして形成されており、切欠部２１における下方位置の内周面に沿うようにして水平状の溝状部２２が設けられる。また、リフィル容器３の押圧部２０は、切欠部２１に対応するようにして夫々設けられ、押圧部２０における下方位置の外周面に沿うようにして水平状の突条部２３が設けられる。
【００３３】
蓋体２は、容器本体１におけるリフィル容器３又は収容部４の開口を閉塞する天面部２４が設けられ、当該天面部２４から首部５の筒状部７に被さる内筒部２５と、内筒部２５の外径方向に位置して、肩部８に被さる外筒部２６が夫々下方に向けて垂下される。また、内筒部２５の内径方向には、リフィル容器３又は収容部４における内周面の上端部に位置し、内周面に当接することで収容物の漏れを防止する環状突部２７が設けられる。
【００３４】
内筒部２５は、首部５の筒状部７に外嵌するよう円形状に形成されるとともに、内筒部２５の下端部には、カム片１１に対応するよう案内部２８が設けられる。当該案内部２８は、カム片１１の外形より僅かに大きい略同形状に形成されるものであって、例えば、略三角形状に形成され、周縁から上方へと傾斜する傾斜部２９と、当該周縁から略垂直状に形成される掛止部３０とから形成される。
【００３５】
これにより、図７及び図８に示すように、本体容器１と蓋体２との嵌合状態において、カム片１１と案内部２８との間に微小な間隙ｔを設けることができる。すなわち、当該間隙ｔによって、蓋体２の回転又は逆回転方向に対して微小な遊びを形成することができる。また、本体容器１に対して蓋体２を逆回転させると、案内部２８の掛止部３０がカム片１１の掛止部１４に当接することで、当該回転方向への動きを規制することができる。
【００３６】
外筒部２６は、図１０に示すように、首部５の肩部８に外嵌するよう非円形状に形成される。すなわち、肩部８に対応する短軸方向Ｐと長軸方向Ｑとを有して形成され、容器本体１と蓋体２との嵌合状態にて、図２及び図３に示すように、外筒部２６の下端部が容器本体１の縁部１０の上方に位置され、容器本体１の首部５を閉塞するよう位置設定される。
【００３７】
また、内筒部２５及び外筒部２６には、容器本体１に嵌合させる際の上述の嵌合手段が設けられる。蓋体２の嵌合手段は、容器本体１の嵌合手段と同様にして、例えば、溝状部、凹部、突条部、凸部等から適宜選択することができるし、これらを適宜組み合わせることもできる。内筒部２５の内周面に形成される上方嵌合部は、筒状部７の第１上方嵌合部１８に対応する第２上方嵌合部３１とされ、外筒部２６の内周面に形成される下方嵌合部は、肩部８の第１下方嵌合部１９に対応する第２下方嵌合部３２とされる。
【００３８】
本実施例においては、第２上方嵌合部３１は、内筒部２５における隣接する案内部２８の間隙の内周面に沿うようにして設けられる水平状の溝状部とされ、第２下方嵌合部３２は、肩部８における第２領域１６の位置に対応するようにして設けられる水平状の溝状部とされる。当該第２上方嵌合部３１と第２下方嵌合部３２は溝状に形成されることから、第１上方嵌合部１８と第１下方嵌合部１９が占有する角度より大きく形成されていればよく、特に制限されるものではない。
【００３９】
また、容器本体１と蓋体２との嵌合状態にて、図２及び図３に示すように、平坦部９の上方には蓋体２における内筒部２５の下端部が位置し、縁部１０の上方には蓋体２における外筒部２６の下端部が位置した状態となるよう設定されており、開蓋時における摺動抵抗を低減するため、夫々の上下方向には微小な間隙が形成される。
【００４０】
また、容器本体１と蓋体２との嵌合状態において、所定以上の回転力が付与されることで当該嵌合が解除され得るように、容器本体１と蓋体２に回り止めとなる補助嵌合手段を設けることもできる。補助嵌合手段は、例えば、嵌合手段と同様にして、例えば、溝状部、凹部、突条部、凸部等から適宜選択することができるし、これらを適宜組み合わせることもできる。
【００４１】
本実施例においては、補助嵌合手段は、図４及び図５に示すように、容器本体１における肩部８の第１領域１５の外周面に形成される凸部３３と、蓋体２における外筒部２６の隣接する第２上方嵌合部３２の間隙の内周面に形成される凹部３４とから構成される。
【００４２】
このようにして構成される容器は、蓋体２を容器本体１に対して押圧させることで閉塞させることができる。具体的には、図７及び図８に示すように、容器本体１と蓋体２との短軸方向Ｐ及び長軸方向Ｑを合致させた状態で、蓋体２を容器本体１の首部５に被せて上方から押圧する。当該押圧力により、蓋体２の内筒部２５及び外筒部２６の夫々の下端部が第１上方嵌合部１８及び第１下方嵌合部１９に当接することで、外径方向に弾性変形し拡径する。そして、両者の下端部が夫々の嵌合部を乗り越え、内径方向に復元することで第１上方嵌合部１８及び第１下方嵌合部１９に嵌合する。そして、容器本体１と蓋体２の嵌合状態は、蓋体２の復元力により維持される。
【００４３】
当該状態においては、図２及び図３に示すように、環状突部２７がリフィル容器３の内周面に当接するとともに、リフィル容器３の上端部を環状突部２７と内筒部２５との間に配置した状態、且つ、当該上端部の上面が天面部２４に当接した状態となる。すなわち、リフィル容器３に対して、その内周面にて環状突部２７が当接するとともに、その上面にて天面部２４が当接することで、開口を密閉することができるとともに、収容物の漏れを二重に防止することができる。
【００４４】
また、当該嵌合状態においては、図７及び図８に示すように、容器本体１のカム片１１と蓋体２の案内部２８との間に微小な間隙ｔが形成されるため、この間隙ｔを利用して蓋体２を回転させる際の付勢力とすることができる。更に、本体容器１に対して蓋体２を逆回転させると、案内部２８の掛止部３０がカム片１１の掛止部１４に当接するため、一方向のみの回転を許容する構成となる。
【００４５】
また、当該嵌合状態を解除する場合には、蓋体２を容器本体１に対して反時計回りに回転させることで開蓋することができる。具体的には、図９及び図１１に示すように、蓋体２を回転させると、容器本体１と蓋体２との相対回転により、蓋体２における案内部２８の傾斜部２９が容器本体１におけるカム片１１の傾斜部１２に沿って摺動して上方への力が作用するとともに、回転軌跡の相違により外筒部２６を肩部８によって弾性変形させることで、蓋体２が次第に上方へと押し上げられ、上方嵌合部及び下方嵌合部の両者の嵌合状態が解除される。
【００４６】
また、蓋体２における外筒部２６の周縁までの距離が短い短軸方向Ｐの箇所が回転軌跡中に段部１７を介して形成される第２領域１６に乗り上がることで、蓋体２が更に上方へと押し上げられる。より詳細には、外筒部２６の下端部が肩部８の第１領域１５に摺動することなく、第２領域１６のみに摺動した状態で上方へと押し上げられる。これにより、開蓋時における摺動抵抗を低減することができ、操作性を向上することができる。
【００４７】
更に、嵌合状態から蓋体２が９０度回転した状態においては、図１２に示すように、外筒部２６が非円形状に形成されることから、外筒部２６における短軸方向Ｐの下端部が第１領域１５の終端部近傍の平坦部９上に載置される。換言すると、外筒部２６における短軸方向Ｐの下端部は平坦部９における長軸方向Ｑの上面に位置し、容器本体１に対して蓋体２が最も押し上げられた状態となる。当該状態においては、蓋体２の内筒部２５が首部５における筒状部７の外径方向に位置し、蓋体２が平坦部９上に安定して載置されることから、簡易的に閉塞した状態とすることができる。
【００４８】
以上、説明した本発明に係る容器によれば、嵌合手段となる上方嵌合部が筒状部７と内筒部２５の周状に設けられ、下方嵌合部が肩部８の第２領域１６と対応する外筒部２６に設けられることで上下の二箇所で嵌合するとともに、第２領域１６の略全域に第１下方嵌合部１９を設けることから、容器本体１と蓋体２との嵌合状態が強固であり、斜め方向に落下した場合を含む、いかなる方向から落下等した場合であっても蓋体２が外れ難いものとなる。
【００４９】
また、蓋体２を容器本体１に対して上方から押圧することでワンタッチで閉蓋することができ、容器本体１と蓋体２との相対回転により、容器本体１のカム片１１と蓋体２の案内部２８の上方への作用力と、両者の回転軌跡の相違及び外筒部２６の下端部の第２領域１６への乗り上げを利用して、嵌合状態を解除して容易に開蓋することができる。これにより、蓋体２の着脱操作が容易な簡易開閉式の容器とすることができる。
【００５０】
更に、環状突部２７がリフィル容器３の内周面に当接するとともに、内筒部２５及び外筒部２６により嵌合部が二重構造となっているため、密閉性に優れたものとなる。
【００５１】
当該発明は、上述の実施形態の構成に限定されるものではなく、形状、寸法、材質等を適宜変更して実施することが可能である。また、一部構成を省略することができるし、一部抽出した構成とすることができるのは勿論である。
【００５２】
例えば、上方嵌合部及び下方嵌合部の長さ、突出高さ等は相互に嵌合可能であって、相対回転によるカム片１１の作用で嵌合状態が解除され得るような形状、寸法等であればよい趣旨である。
【００５３】
また、嵌合手段においては、首部５の上方と下方の二箇所に設置されるものであったが、嵌合部の形状等により強固に嵌合されるものであれば、上方嵌合部又は下方嵌合部のいずれか一方のみを採用することもできる。更に、平坦部９においては、非円形状に形成されるものであったが、円形状とすることができるのは勿論である。
【００５４】
また、リフィル容器３を設けない場合においては、容器本体１と蓋体２との嵌合状態において、蓋体２の環状突部２７が収容部４の内周面に当接するとともに、収容部４の上端部を環状突部２７と内筒部２５との間に配置した状態、且つ、当該上端部の上面が天面部２４に当接した状態となる。
【符号の説明】
【００５５】
１      容器本体
２      蓋体
４      収容部
５      首部
７      筒状部
８      肩部
９      平坦部
１１    カム片
１２    傾斜片
１５    第１領域
１６    第２領域
１７    段部
１８    第１上方嵌合部
１９    第１下方嵌合部
２４    天面部
２５    内筒部
２６    外筒部
２８    案内部
３１    第２上方嵌合部
３２    第２下方嵌合部
【図１】
0005966240.tif 000002
【図２】
0005966240.tif 000003
【図３】
0005966240.tif 000004
【図４】
0005966240.tif 000005
【図５】
0005966240.tif 000006
【図６】
0005966240.tif 000007
【図７】
0005966240.tif 000008
【図８】
0005966240.tif 000009
【図９】
0005966240.tif 000010
【図１０】
0005966240.tif 000011
【図１１】
0005966240.tif 000012
【図１２】
0005966240.tif 000013
【図１３】
0005966240.tif 000014